(57)【要約】【課題】  ミストの捕集効率を向上させることができるサイクロン式ミストコレクタを提供する。【解決手段】  本発明に係るサイクロン式ミストコレクタ１は、円筒状の本体１１と、本体１１にミストを含むガスを供給するガス供給管１２と、本体１１の下端に取り付けられ、ガスから分離されたミストを捕集する捕集部１３と、本体１１の上端面を貫通するよう本体１１内を上下に延びる円筒状のガス排出管１４とを備え、本体１１からのガスがガス排出管１４内を螺旋状に旋回しながら上昇することで排出されるサイクロン式ミストコレクタ１であって、ガス排出管１４は、内部を上昇するガスに含まれるミストを捕集するミスト捕集手段２１と、ミスト捕集手段２１の上部に取り付けられ、ガス排出管１４内のガスの流れを整える整流板２２とを有しており、整流板２２は、ガス排出管１４の中心軸ｃ１と直交する面ｍ１に対するガスの流れの螺旋の傾斜角θが小さくなるようにガスの流れを整える。【選択図】  図１
2014161759.tif 000002
【特許請求の範囲】
【請求項１】
円筒状の本体と、前記本体にミストを含むガスを供給するガス供給管と、前記本体の下端に取り付けられ、ガスから分離されたミストを捕集する捕集部と、前記本体の上端面を貫通するよう前記本体内を上下に延びる円筒状のガス排出管とを備え、前記本体からのガスが前記ガス排出管内を螺旋状に旋回しながら上昇することで排出されるサイクロン式ミストコレクタであって、
前記ガス排出管は、内部を上昇するガスに含まれるミストを捕集するミスト捕集手段と、
前記ミスト捕集手段の上部に取り付けられ、前記ガス排出管内のガスの流れを整える整流板とを有しており、
前記整流板は、前記ガス排出管の中心軸ｃ１と直交する面ｍ１に対するガスの流れの螺旋の傾斜角θが小さくなるようにガスの流れを整えるサイクロン式ミストコレクタ。
【請求項２】
前記ミスト捕集手段は、前記ガス排出管の内壁面においてミストを捕集するように構成される請求項１に記載のサイクロン式ミストコレクタ。
【請求項３】
前記ミスト捕集手段は、一端が前記整流板の下方において前記ガス排出管に連通され、他端が前記捕集部又は前記本体の下部に連通されるミスト排出管からなる請求項２に記載のサイクロン式ミストコレクタ。
【請求項４】
前記ガス供給管は、ガスが前記ガス排出管の周囲を旋回するように、前記ガス排出管の接線方向に向けて配置されている請求項１〜３のいずれか一項に記載のサイクロン式ミストコレクタ。
【請求項５】
前記ガス排出管には、前記ガス排出管の中心軸ｃ１を含み、前記ガス供給管の中心軸ｃ２と直交する面ｍ２を境にして、前記ガス供給管と反対側の外壁面の少なくとも一部に防塵板が設けられ、
前記防塵板の下端部は、前記ガス排出管の下端部よりも下方に突き出ている請求項４に記載のサイクロン式ミストコレクタ。
【請求項６】
前記ガス供給管から前記本体に供給されるガスが、前記ガス排出管の周囲を一方向に旋回するように、前記ガス供給管と前記ガス排出管の外壁面との間には、規制板が配備されている請求項４又は５に記載のサイクロン式ミストコレクタ。
【請求項７】
前記整流板は、リング状を呈する請求項１〜６のいずれか一項に記載のサイクロン式ミストコレクタ。
【発明の詳細な説明】
【技術分野】
【０００１】
本発明は、サイクロン式ミストコレクタに関するものである。
【背景技術】
【０００２】
従来から、遠心力を利用して、ミストを含むガスからミストを捕集する装置として、特許文献１に示されるようなサイクロン式ミストコレクタが使用されてきた。サイクロン式ミストコレクタは、上端面が閉じられた円筒状の本体の上部に、ミストを含んだガスを供給するガス供給管が水平に取り付けられている。また、本体の下端には、ガスから分離されたミストを捕集する捕集部が取り付けられ、本体の上端面を貫通して、本体からガスを排出するガス排出管が本体と同軸に取り付けられている。サイクロン式ミストコレクタは、ガス排出管の周囲を旋回するようにミストを含んだガスが供給され、ガスが螺旋状に旋回しながら本体内を下降した後、反転して上昇し、ガス排出管から排出されるまでの間に、遠心力によってミストを外側へ分離して落下させ捕集部に集めている。
【０００３】
さらに、特許文献１に示されるサイクロン式ミストコレクタでは、ガス排出管の内壁面にミストを捕集するための捕集材が貼り付けられており、ガス排出管に流入するまでの間にガスから分離されなかったミストを捕集できるようになっている。
【先行技術文献】
【特許文献】
【０００４】
【特許文献１】特開平９−１７７５２９号公報
【発明の概要】
【発明が解決しようとする課題】
【０００５】
しかしながら、図７に示すように、特許文献１に示されるようなサイクロン式ミストコレクタ１００では、ガス排出管１１４を上昇していくガスの流れ１３０が整えられていないため、ガス排出管１１４の中心軸ｃ１１と直交する面ｍ１１に対するガスの流れ１３０の螺旋の傾斜角θ１が大きくなっていた。そのため、ガスが捕集材１２１に接する時間が短くなり、捕集材１２１によってミストを十分に捕集することができないという問題が生じていた。
【０００６】
本発明は、上記課題を解決するためになされたものであり、ミストの捕集効率を向上させることができるサイクロン式ミストコレクタを提供する。
【課題を解決するための手段】
【０００７】
本発明に係るサイクロン式ミストコレクタは、円筒状の本体と、前記本体にミストを含むガスを供給するガス供給管と、前記本体の下端に取り付けられ、ガスから分離されたミストを捕集する捕集部と、前記本体の上端面を貫通するよう前記本体内を上下に延びる円筒状のガス排出管とを備え、前記本体からのガスが前記ガス排出管内を螺旋状に旋回しながら上昇することで排出されるサイクロン式ミストコレクタであって、前記ガス排出管は、内部を上昇するガスに含まれるミストを捕集するミスト捕集手段と、前記ミスト捕集手段の上部に取り付けられ、前記ガス排出管内のガスの流れを整える整流板とを有しており、前記整流板は、前記ガス排出管の中心軸ｃ１と直交する面ｍ１に対するガスの流れの螺旋の傾斜角θが小さくなるようにガスの流れを整える。
【０００８】
本発明では、ミスト捕集手段の上部に整流板を設け、ガス排出管内を流れるガスの螺旋状の流れを、ガス排出管の中心軸ｃ１と直交する面ｍ１に対して螺旋の傾斜角θが小さくなるように整流している（図５のガスの流れ３０を参照）。これにより、ガスがミスト捕集手段と接する時間を長くすることができるため、ミスト捕集手段によってガスからミストを十分に捕集することができ、ミストの捕集効率を向上させることができる。
【０００９】
上記サイクロン式ミストコレクタにおいて、ミスト捕集手段は、ガス排出管の内壁面においてミストを捕集するように構成されることができる。ミストは、ガスよりも比重が大きいため、螺旋状の旋回流の外周部分に集約されることとなる。そのため、ガス排出管の内壁面にミスト捕集手段を設けておいても、十分なミストの捕集効率が得られる。一方で、ガス排出管の内壁面においてミストを捕集することで、ガス排出管から排出されるガスの流れを妨げるものが少なくなる。このため、ガスはスムーズにガス排出管を通って排出されることができ、ガスがミスト捕集手段を通過する際の圧力損失を低減することができる。
【００１０】
また、上記サイクロン式ミストコレクタにおいて、ミスト捕集手段は、一端が整流板の下方においてガス排出管に連通され、他端が捕集部又は本体の下部に連通されるミスト排出管からなることができる。サイクロン式ミストコレクタは通常、捕集部又は本体の下部の内部の圧力がガス排出管の内部の圧力よりも小さくなっている。そのため、ミスト排出管をガス排出管から捕集部又は本体の下部に連通するだけで、ミストをミスト排出管内に吸引するための吸引力が発生し、ミストがミスト排出管内に自動的に吸引される。また、ミスト排出管内に吸引されたミストは、捕集部又は本体下部とガス排出管との圧力差により、捕集部又は本体の下部まで自動的に移動するため、ミスト排出管内にミストが溜まることがない。そのため、ミスト捕集手段としてミスト排出管を使用することにより、ミスト捕集手段を交換する等のメンテナンスが不要となり、サイクロン式ミストコレクタの稼働中、効率良くミストを捕集し続けることができる。また、ミストと共に切粉や研磨粉等のダストを含んだガスがサイクロン式ミストコレクタの本体内に供給された場合、ミスト捕集手段として特許文献１のような捕集材１２１を用いると、ダストが捕集材１２１内に溜まり捕集材１２１の捕集能力が落ちるため、頻繁に捕集材１２１を交換しなければならない。しかしながら、ミスト捕集手段としてミスト排出管を用いることで、ダストは、ミスト排出管に吸引され、ダストよりも径の大きいミスト排出管を通って捕集部まで移動することができる。そのため、ミスト排出管が目詰まりを起こして捕集能力が落ちることがなく、サイクロン式ミストコレクタの稼働中、ダストを捕集し続けることができる。
【００１１】
また、上記サイクロン式ミストコレクタにおいて、ガス供給管は、ガスがガス排出管の周囲を旋回するように、ガス排出管の接線方向に向けて配置されることができる。これにより、ガス供給管から本体にミストを含むガスを供給するだけで、ガスが螺旋状に旋回して流れるため、本体内にガスを螺旋状に旋回させるためのガイドベーン等を設ける必要がなくなる。
【００１２】
また、上記サイクロン式ミストコレクタにおいて、ガス排出管には、ガス排出管の中心軸ｃ１を含み、ガス供給管の中心軸ｃ２と直交する面ｍ２を境にして、ガス供給管と反対側の外壁面の少なくとも一部に防塵板が設けられ、防塵板の下端部は、ガス排出管の下端部よりも下方に突き出ていることができる。ガス供給管から供給されるガスには、ミストと共にダストが含まれることがある。このミスト及びダストを含むガスは螺旋状に旋回して下降しながらミスト及びダストが分離されるが、特に分離されたダストは本体の内壁面に当って跳ね返り、ガス排出管から排出されようとする上昇気流に乗って、そのまま排出されることがある。しかしながら、本発明のようにガス供給管と反対側の位置においてガス排出管の下端から下方に突き出るように防塵板を設けることで、本体の内壁面に当って跳ね返ったダストがガス排出管から直接排出されることを防止することができる。これにより、ダストは落下して捕集部に捕集されるため、ダストの捕集効率を向上させることができる。
【００１３】
また、上記サイクロン式ミストコレクタにおいて、ガス供給管から本体に供給されるガスが、ガス排出管の周囲を一方向に旋回するように、ガス供給管とガス排出管の外壁面との間には、規制板が配備されていることができる。このように規制板を設けることで、ガス供給管から本体に流入したガスの流れが一方向に旋回するように整えられて、スムーズに螺旋状に旋回しながら本体内を下降されていく。また、ガスの流れが整えられることによりガス同士が衝突してガスの流れが乱れることがなくなる。これにより、本体内をガスがスムーズに流れ、ガスの圧力損失を低減させることができる。
【００１４】
また、上記サイクロン式ミストコレクタにおいて、整流板は、リング状を呈することができる。これにより、整流板は、ガス排出管内に嵌め込むことができるリングを準備するだけで良くなり、整流板の取り付けが容易になる。
【発明の効果】
【００１５】
本発明に係るサイクロン式ミストコレクタによれば、ミストの捕集効率を向上させることができる。
【図面の簡単な説明】
【００１６】
【図１】本発明のサイクロン式ミストコレクタの一実施形態を示す部分断面正面図である。
【図２】図１のサイクロン式ミストコレクタの平面図である。
【図３】図１のサイクロン式ミストコレクタのＡ部拡大図である。
【図４】図１のサイクロン式ミストコレクタのＢ−Ｂ断面図である。
【図５】図１のサイクロン式ミストコレクタのガス排出管部の部分断面正面図である。
【図６】図１のサイクロン式ミストコレクタのガス排出管の位置を移動させる領域を示す平面図である。
【図７】従来のサイクロン式ミストコレクタのガス排出管部の部分断面正面図である。
【発明を実施するための形態】
【００１７】
以下、本発明に係るサイクロン式ミストコレクタの一実施形態について添付図面を参照して説明する。以下では、図１に示す方向で上下左右方向を定義する。なお、本明細書中では、サイクロン式ミストコレクタには、ミストを含んだガスが供給されるものとして説明するが、ミストに加えて、例えば切粉や研磨粉等のダストも含まれたガスが供給されることもあり得、この場合には、ダストもミストと同様に分離されるものである。
【００１８】
図１及び図２に示すように、サイクロン式ミストコレクタ１は、本体１１と、本体１１にミストを含むガスを供給するガス供給管１２と、ガスから分離されたミストを捕集する捕集部１３と、本体からガスを排出するガス排出管１４とを備えている。
【００１９】
本体１１は、円筒状に形成されており、上部は一定の径を有する直管形状となっており、その下の中部は下端へ向かうほど直径が小さくなるテーパ形状となっている。さらに、その下の本体１１の下部１１ｂは、中部のテーパ形状により小さくなった径を有する直管形状となっている。本体１１の上端は閉じられており、本体１１の下端の開口部には、捕集部１３が取り付けられている。
【００２０】
本体１１には、上部にガス供給管１２が取り付けられ、閉じられた上端面を貫通させてガス排出管１４が取り付けられている。具体的に説明すると、ガス供給管１２は、断面矩形状に形成されており、本体１１の直管形状部分に接線方向から水平に連接されている。すなわち、ガス供給管１２は、ガス排出管１４の接線方向に向けて配置されており、ガス供給管１２から供給されるガスが、ガス排出管１４の周囲を旋回するようになっている。また、ガス排出管１４は、円筒状に形成されており、本体１１と同軸で上下に延びて取り付けられている。そして、ガス排出管１４の下端は、本体１１内において、ガス供給管１２の出口開口と対向する位置より下側で、且つ、本体１１の直管形状とテーパ形状との境界１１ａまでの間に延びている。
【００２１】
さらに、図１〜図３に示すように、サイクロン式ミストコレクタ１は、ガス排出管１４内に、内部に流入するガスに含まれるミストを捕集するミスト排出管（ミスト捕集手段）２１と、内部を流れるガスの流れを整える整流板２２とを備えている。
【００２２】
ミスト排出管２１は、一端が、本体１１の上端面より上方且つ整流板２２の下方において、ガス排出管１４に設けられている開口１４ａに連接されており、他端が捕集部１３に連通している。ミスト排出管２１には、例えばドレンチューブ等の可撓性を有する樹脂性のチューブを使用することができる。サイクロン式ミストコレクタ１を主としてオイルミストを捕集するために用いる場合は、ミスト排出管２１の内面は、オイルが付着し難い素材のものが好ましい。
【００２３】
整流板２２は、リング状を呈しており、外形がガス排出管１４の内壁面１４ｂに接する大きさの円形に形成されている。整流板２２は、ガス排出管１４の内部において、ミスト排出管２１が連接される開口１４ａの上部に、ガス排出管１４の中心軸ｃ１と直交するように取り付けられている。整流板２２が取り付けられる位置は、特に、開口１４ａの上端縁１４ｃの直上から上端縁１４ｃの十数ｍｍ上方（図３の距離Ｄ）までの範囲であることが好ましい。
【００２４】
さらに、図１及び図４に示すように、サイクロン式ミストコレクタ１は、ガス排出管１４の下端部に取り付けられる防塵板２３、及び、ガス供給管１２とガス排出管１４の外壁面１４ｄとの間に配備される規制板２４を備えている。
【００２５】
防塵板２３は、例えば、矩形状の金属板、樹脂板等を湾曲させて形成されている。防塵板２３は、ガス排出管１４の中心軸ｃ１を含み、ガス供給管１２の中心軸ｃ２と直交する面ｍ２、すなわち、ガス供給管１２が本体１１に接する点１２ａとガス排出管１４の中心軸ｃ１とを含む面ｍ２を境にして、ガス供給管１２と反対側のガス排出管１４の外壁面１４ｄに配置されている。具体的には、防塵板２３は、面ｍ２を境にしてガス供給管１２と反対側の１８０°の領域ａ１を基準として、所定角度αだけ広げた範囲又は狭めた範囲に設けられている。この所定角度αは、３０°が好ましい。そして、防塵板２３は、ガス排出管１４の下端部よりも下方に突き出るようにして取り付けられている。防塵板２３の下端は、ガス排出管１４の下端から本体１１の直管形状とテーパ形状との境界１１ａまでの間に延びていることが好ましい。
【００２６】
規制板２４は、例えば、矩形状の金属板、樹脂板等により形成されている。規制板２４は、ガス供給管１２の内側の側面１２ｂの内壁の高さと略同等の高さを有しており、ガス供給管１２の出口端部に取り付けられた時に、ガス排出管１４の外壁面１４ｄと当接する幅を有している。本実施形態では、規制板２４は、一端がガス供給管１２の内側の側面１２ｂの内壁に貼り付けられ、他端を湾曲させてガス排出管１４の外壁面１４ｄ上に沿わせて取り付けられている。ここで、ガス供給管１２の内側の側面１２ｂとは、図４視において下側、すなわち、ガス供給管１２と本体１１とが接する側面と反対側を意味する。
【００２７】
次に、図５を参照して、サイクロン式ミストコレクタ１の動作について説明する。まず、ガス供給管１２から本体１１にミストを含むガスが供給される。この時、ガス供給管１２がガス排出管１４の接線方向に向けて配置されているため、ガス供給管１２から供給されるミストを含んだガスは、ガス排出管１４の周囲を螺旋状に旋回する。本体１１内に供給されたガスは、螺旋状に旋回しながら本体１１内を下降した後、反転して上昇する。その間に、遠心力によってミストを含んだガスからミストが分離される。そして、ガスは、ガス排出管１４内を螺旋状に旋回しながら上昇して排出される。また、ガスから分離されたミストは、落下して本体１１の下端に取り付けられている捕集部１３に捕集される。
【００２８】
また、ガス排出管１４内では、ガスが螺旋状に旋回しながら上昇する間に、本体１１内では分離されずガス中に残ったミストが遠心力により分離されている。ここで分離されたミストは、整流板２２及びミスト排出管２１の作用により、ミスト排出管２１内に吸引されて捕集部１３に捕集されるようになっている。すなわち、サイクロン式ミストコレクタ１では通常、ガス排出管１４より捕集部１３の方が、圧力が低くなっているため、ガス排出管１４と捕集部１３との圧力差により、開口１４ａにはミスト排出管２１へミストを吸引する吸引力が発生している。一方で、図５に示すように、整流板２２によって、ガス排出管１４内を流れるガスの流れ３０のガス排出管１４の中心軸ｃ１と直交する面ｍ１に対する螺旋の傾斜角θが、整流板２２を設けないときのガスの流れ１３０の螺旋の傾斜角θ１と比較して小さくなっている。そのため、分離されたミストは、開口１４ａの周縁でガス排出管１４の内壁面１４ｂを伝ってミスト排出管２１に吸引されずに上昇してしまうことが防止されている。これにより、分離されたミストが、そのままガス排出管１４内の上昇気流に乗って排出されることなく、ミスト排出管２１に吸引され捕集部１３に捕集される。
【００２９】
以上のように、本発明では、ガス排出管１４内に整流板２２を取り付けて、ガス排出管１４内のガスの流れ３０を整流すると共に、整流板２２の下部にミスト排出管２１を取り付けることで、螺旋状に旋回しながら上昇するガスの多くが、ミスト排出管２１が取り付けられる開口１４ａを通過する。そして、整流板２２によりガスの流れ３０が螺旋の傾斜角θが小さい緩やかな流れとなっているため、ガスの流れ３０の中で分離されているミストは、開口１４ａの周縁にはじかれることなくミスト排出管２１内に吸い込まれる。これにより、本体１１内で捕集できなかったミストを、ガス排出管１４内で捕集することができ、ミストの捕集効率を向上させることができる。
【００３０】
さらに、ガス排出管１４の下端部のガス供給管１２と反対側の位置には防塵板２３が取り付けられているため、ガス供給管１２から供給されたミスト含有ガスが本体１１の内壁面に当って跳ね返り、直接ガス排出管１４から排出されることを防止することができる。そのため、本体１１内に供給されたミストを含んだガスは、必ず本体１１内を一度下降し、その間にミストを捕集することができるため、ミスト捕集効率をさらに向上させることができる。
【００３１】
さらに、ガス供給管１２の出口端に規制板２４を設けているため、ガス供給管１２から本体に供給されたガスが、ガス排出管１４の周囲を一方向に旋回するように規制される。これにより、本体１１内に供給されたガス同士が衝突してガスの流れが乱れることが防止でき、ガスの圧力損失を低減させることができる。また、ガスの圧力損失が低減されることにより、サイクロン式ミストコレクタ１が吸い込むガスの風量が多くなり、ガスの流速を速くすることができる。そして、ガスが速い速度で螺旋状に旋回することにより大きな遠心力が得られ、サイクロン式ミストコレクタ１の分離能力を向上させることができる。一方で、ガスの圧力損失が低減されることで、サイクロン式ミストコレクタ１を所望の分解能力で作動させるために必要な動力源を小さくすることができる。
【００３２】
また、ガス排出管１４からミストを捕集するミスト捕集手段２１として、ガス排出管１４の開口１４ａに取り付けられるミスト排出管２１を用いているため、ガス排出管１４内を流れるガスの流れを妨げるものが少なくなる。そのため、ガスはスムーズにガス排出管１４内を通過することができるため、ガス排出管１４内でガスの圧力損失が増大することを防止することができる。一方で、ミストは、ガスよりも比重が大きいため、ガスの螺旋状の旋回流の外周部分に集約されるため、ミスト排出管２１によって確実に捕集される。さらに、ミスト排出管２１内では、ガス排出管１４と捕集部１３との圧力差により、ミストは捕集部１３まで流れていくため、ミスト排出管２１内にミストが留まることなく、ミスト排出管２１のメンテナンス等が不要となり、サイクロン式ミストコレクタ１の稼働中、効率よくミストを捕集し続けることができる。
【００３３】
以上、本発明の一実施形態について説明したが、本発明はこの実施形態に限定されるものではなく、その趣旨を逸脱しない限りにおいて、種々の変更が可能である。例えば、本実施形態では、ガス排出管１４を本体１１と同軸に設けているが、図６に示すように、ガス排出管１４’の中心軸ｃ１’の位置を移動させることができる。なお、図６では、図を分かりやすくするため、本体１１、ガス供給管１２及びガス排出管１４，１４’のみを図示する。
【００３４】
具体的に説明すると、ガス排出管１４’は、ガス排出管１４を本体１１と同軸に配置した場合のガス排出管１４の中心軸ｃ１を含み、ガス供給管１２の中心軸ｃ２と平行な面ｍ３を境として、ガス供給管１２と反対側で、且つ、面ｍ３上でガス供給管１２が配置される側を基点ｐとして１３５°までの領域ａ２内に、中心軸ｃ１’を位置させることができる。このとき、ガス排出管１４’の外壁面１４ｄ’が本体１１に接しないようにガス排出管１４’の中心軸ｃ１’を移動させる。このようにガス排出管１４の中心軸ｃ１をずらすことにより、ガス供給管１２から本体１１に流入するガスの流れがよりスムーズになり、本体１１内の流れるガス同士が衝突してガスの流れが乱れることがなくなり、本体１１内を流れるガスの圧力損失をさらに低減させることができる。この時、規制板２４は、ガス排出管１４が本体１１と同軸にある場合に、ガス供給管１２とガス排出管１４の間を塞ぐ大きさであればよく、ガス排出管１４を移動させた場合に、必ずしもガス供給管１２とガス排出管１４’との間を塞ぐ必要はない。
【００３５】
また、上記実施形態では、ミスト排出管２１は、ガス排出管１４と捕集部１３とを連通させているが、必ずしもその必要はない。すなわち、ミスト排出管２１は、ガス排出管１４内からミストを吸い出すことができればよく、例えば、ミスト排出管２１の他端を本体１１の下部１１ｂに連通させることができる。また、ミスト排出管２１の他端を、本体１１の一部に連通させず、別途設けられた吸引装置等に連結し、吸引装置によりガス排出管１４からミストを吸引することもできる。さらには、ミスト捕集手段２１は、必ずしもミスト排出管２１のようなチューブ状である必要はなく、例えば、ガス排出管の内壁面１４ｂに貼り付けられミストを吸収することができる、不織布等からなる捕集材とすることもできる。また、ガス排出管１４内のガスの圧力損失が問題とならない場合は、ガス排出管１４に捕集材を詰めることもできる。
【００３６】
また、上記実施形態では、整流板２２はリング状を呈しているが、例えば、複数の円弧状の板材をガス排出管１４の周方向に沿って配置させることもできる。この時、円弧状の板材の周方向の間隔が空き過ぎず、ガスの流れ３０の螺旋状の傾斜角θが小さくなるように設けられていれば良い。また、整流板２２がリング状である場合にも、リングの穴の形状は、外形と相似の円形の穴に限られず、任意の形状とすることができる。
【００３７】
また、上記実施形態では、ガス供給管１２は、断面矩形状に形成されているが、必ずしも断面矩形状に形成される必要はなく、円形状であっても良い。この場合には、規制板２４は、円周の４分の１程度を覆う大きさに形成されており、内側の側面１２ｂに相当する位置に設けられていれば良い。
【００３８】
また、上記実施形態では、規制板２４は、ガス供給管１２の出口端に取り付けられているが、必ずしもガス供給管１２の出口端に取り付けられる必要はない。規制板２４は、ガス供給管１２とガス排出管１４の外壁面１４ｄとの間を覆い、ガス供給管１２から本体１１に供給されるガスが、ガス排出管１４の周囲を一方向に旋回するように規制できるように形成されていれば良い。すなわち、例えば、ガス排出管１４に取り付けられても良いし、本体１１に直接取り付けられても良い。
【００３９】
また、上記実施形態では、防塵板２３は、板材を湾曲させて形成され、ガス排出管１４の下端部に取り付けられているが、例えば、ガス排出管１４と一体的に形成することができる。一例として、ガス排出管１４を形成する際に、ガス排出管１４の下端の長さを、防塵板２３が設けられる位置（面ｍ２を境にしてガス供給管１２と反対側の少なくとも一部）では長く、防塵板２３が設けられない位置では短くすることで、防塵板２３をガス排出管１４と一体的に形成することができる。このように、防塵板２３は、ガス排出管１４の下端部を、周方向の所定の一部分において、下方に延ばすように設けられていれば良い。
【００４０】
また、上記実施形態では、ガス供給管１２を本体１１の接線に沿うように設けて本体１１内に供給されるミスト含有ガスに螺旋状の旋回を生じさせているが、例えば、ガス供給管１２を本体１１の軸と平行に配置し、本体１１内にガイドベーンを設けることで螺旋状の旋回を生じさせるようにしても良い。
【符号の説明】
【００４１】
１      サイクロン式ミストコレクタ
１１    本体
１１ｂ  本体の下部
１２    ガス供給管
１３    捕集部
１４，１４’    ガス排出管
１４ｂ  ガス排出管の内壁面
１４ｄ  ガス排出管の外壁面
２１    ミスト排出管（ミスト捕集手段）
２２    整流板
２３    防塵板
２４    規制板
ｃ１，ｃ１’    ガス排出管の中心軸
ｃ２    ガス供給管の中心軸
ｍ１    ガス排出管の中心軸と直交する面
ｍ２    面
θ      傾斜角
【図１】
2014161759.tif 000003
【図２】
2014161759.tif 000004
【図３】
2014161759.tif 000005
【図４】
2014161759.tif 000006
【図５】
2014161759.tif 000007
【図６】
2014161759.tif 000008
【図７】
2014161759.tif 000009